(57)【要約】  電気トリー試験方法は、電気的な導体に施されたマイカ絶縁体を含む絶縁部材における電気トリーに関する試験方法であって、マイカ絶縁体の外側に電極設定用組立体を取付ける組立体取付けステップ（Ｓ０３）と、次にマイカ絶縁体に合成樹脂を含浸させる含浸ステップ（Ｓ０４）と、含浸ステップ（Ｓ０４）の後に電極設定用組立体から電極構造体以外を取り外す取り外しステップ（Ｓ０５）と、取り外しステップ（Ｓ０５）の後に導体と電極構造体間に電圧を印加するために導体および電極構造体を電源に接続する電源接続ステップ（Ｓ０６）と、その後に導体と電極構造体間に電圧を印加する電圧印加ステップ（Ｓ０７）とを有する。
2017109811.tif 000002
【特許請求の範囲】
【請求項１】
電気的な導体に施されたマイカ絶縁体を含む絶縁部材における電気トリーに関する電気トリー試験方法であって、
前記マイカ絶縁体の外側に電極設定用組立体を取付ける組立体取付けステップと、
前記組立体取付けステップの後に、前記マイカ絶縁体に合成樹脂を含浸させる含浸ステップと、
前記含浸ステップの後に、前記電極設定用組立体から電極構造体以外を取り外す取り外しステップと、
前記取り外しステップの後に、前記導体と前記電極構造体間に電圧を印加するために前記導体および前記電極構造体を電源に接続する電源接続ステップと、
前記電源接続ステップの後に前記導体と前記電極構造体間に電圧を印加する電圧印加ステップと、
を有することを特徴とする電気トリー試験方法。
【請求項２】
前記電圧印加ステップの後に、電圧印加状態で、絶縁破壊の発生の有無を確認する確認ステップと、
前記確認ステップで絶縁破壊が確認された場合に、電気トリーの調査を行う調査ステップと、
をさらに有することを特徴とする請求項１に記載の電気トリー試験方法。
【請求項３】
前記調査ステップは、絶縁破壊の発端となった電極以外の電極についての電気トリーの進展状態を調査する進展状態ステップを含むことを特徴とする請求項２に記載の電気トリー試験方法。
【請求項４】
電気的な導体に施されたマイカ絶縁体を含む絶縁部材における電気トリーに関する電気トリー試験の電極構造体であって、
その第１の面とその裏側の第２の面が平面状でかつ前記第１の面と前記第２の面とが互いに平行に形成され電気的導体である板状の基板と、
前記基板の前記第１の面上に取り付けられて前記第１の面の垂直方向に延びて互いに間隔をあけて設けられ電気的導体である複数の針電極と、
を備える電極構造体。
【請求項５】
前記複数の針電極のそれぞれは、
断面が多角形あるいは円形の柱状部と、
前記柱状部に接続して前記柱状部の軸方向と同一方向の軸を有し前記基板から離れる方向に次第に細くなる錐状部と、
を有することを特徴とする請求項４に記載の電極構造体。
【請求項６】
前記基板の長手方向の長さは、前記絶縁部材の長さに対して、十分な沿面距離の２倍以上短いことを特徴とする請求項４または請求項５に記載の電極構造体。
【請求項７】
前記基板の複数の針電極は、
前記基板の前記第１の面のほぼ中央に配された１つの針電極と、
前記１つの針電極から等しい距離でかつ互いに周方向に間隔をあけて配された他の針電極と、
を有することを特徴とする請求項４ないし請求項６のいずれか一項に記載の電極構造体。
【請求項８】
前記基板の前記第１の面および第２の面は、矩形状であることを特徴とする請求項４ないし請求項７のいずれか一項に記載の電極構造体。
【請求項９】
再現試験の試験状態を設定するために用いられる電極設定用組立体であって、
請求項４ないし請求項８のいずれか一項に記載の電極構造体と、
その第１の面とその裏側の第２の面が平面状でかつ第１の面と第２の面とが互いに平行に形成され第１の面と第２の面間の厚みが基板と同一に形成された板状の第１の電極スペーサと、
その第１の面とその裏側の第２の面が平面状でかつ第１の面と第２の面とが互いに平行に形成され第１の面と第２の面間の厚みが前記基板と同一に形成された板状の第２の電極スペーサと、
その第１の面が平面上に形成された板状の押さえ板と、
を具備し、
前記電極構造体の基板の第２の面と、前記第１の電極スペーサの第２の面と、前記第２の電極スペーサの第２の面とは、前記押さえ板の第１の面に密着し、
前記第１の電極スペーサと前記第２の電極スペーサとは前記電極構造体の基板を挟んで平面方向の互いに反対側に入れている、
ことを特徴とする電極設定用組立体。
【請求項１０】
前記電極構造体と前記第１の電極スペーサと前記第２の電極スペーサと前記押さえ板の互いの接触面、および前記第１の電極スペーサの前記第１の面、前記第２の電極スペーサの前記第１の面には、接触状態からの取り外しを容易にするための離型剤が塗布されていることを特徴とする請求項９に記載の電極設定用組立体。
【請求項１１】
前記第１の電極スペーサと前記第２の電極スペーサの平面は矩形状であることを特徴とする請求項９または請求項１０に記載の電極設定用組立体。
【発明の詳細な説明】
【技術分野】
【０００１】
本発明は、電気的な導体に施されたマイカ絶縁体を含む絶縁部材における電気トリーに関する電気トリー試験方法、電気トリー試験に用いる電極構造体および電極設定用組立体に関する。
【背景技術】
【０００２】
絶縁体に電界が加わり、不平等電界部分が生じ、その部分の電界が絶縁強度限界電圧を超えると、その部分に局部破壊が生ずる。この局部破壊が樹枝状に進展すると電気トリーとなる。【０００３】
電気トリーは、電極と絶縁体との間のエア・ギャップや、異物、絶縁体中の異物・突起物・ボイドなど、高電界集中部が起点となると考えられている。【０００４】
近年、インバータの利用が進んでいるが、インバータ駆動電動機では、繰り返し、インバータサージを含むインパルス電圧が作用する状態で使用することにより、コイル導線の絶縁材料の寿命が大きく低下する可能性がある。【０００５】
回転電機に使用される導電体の絶縁システムの例として、たとえばコイルの導線は、通常、絶縁材料を有する絶縁体で覆われている。ここで、比較的高温に達する導体については、比較的高温に耐える絶縁種別の高い絶縁材料としてケイ酸塩鉱物の一種であるマイカ（雲母）が用いられたマイカ絶縁システムの場合が多い。【０００６】
電気トリーが進展すれば、マイカ絶縁システムに破壊がもたらされる。マイカ絶縁システムの中において、電気トリーがどのように発生し、進展していくのかを把握することは、電気トリーの発生・進展を防止し、健全な回転電機を維持する上で、きわめて重要な事項である。【０００７】
このような絶縁材料の健全性については、たとえば、国際電気標準会議（ＩＥＣ：Ｉｎｔｅｒｎａｔｉｏｎａｌ  Ｅｌｅｃｔｒｏｔｅｃｈｉｎｉｃａｌ  Ｃｏｍｍｉｓｉｏｎ）による、事故防止のための新たな絶縁試験手法を規定した国際規格制定のための動きがある。
【先行技術文献】
【特許文献】
【０００８】
【特許文献１】特開平１１−３８０７７号公報
【発明の概要】
【発明が解決しようとする課題】
【０００９】
前記ＩＥＣによる絶縁試験手法として知られている手法の場合、試験対象物を平板電極で挟んだ体系での試験となっている。この結果、絶縁破壊した試験体においては、電気トリーの形跡も破壊されている場合が多い。また、平板上の電極であるため、起点の位置はあらかじめ不明である。【００１０】
このように、破壊したマイカ絶縁システムの調査による電気トリーのメカニズムの解明には限界がある。したがって、試験的に電気トリーを再現させて、その詳細を確認することが重要となってくる。【００１１】
そこで、本発明は、マイカ絶縁体を含むマイカ絶縁システムにおける電気トリーの挙動を再現し確認することを目的とする。
【課題を解決するための手段】
【００１２】
上述の目的を達成するため、本発明は、電気的な導体に施されたマイカ絶縁体を含む絶縁部材における電気トリーに関する電気トリー試験方法であって、前記マイカ絶縁体の外側に電極設定用組立体を取付ける組立体取付けステップと、前記組立体取付けステップの後に、前記マイカ絶縁体に合成樹脂を含浸させる含浸ステップと、前記含浸ステップの後に、前記電極設定用組立体から電極構造体以外を取り外す取り外しステップと、前記取り外しステップの後に、前記導体と前記電極構造体間に電圧を印加するために前記導体および前記電極構造体を電源に接続する電源接続ステップと、前記電源接続ステップの後に前記導体と前記電極構造体間に電圧を印加する電圧印加ステップと、を有することを特徴とする。【００１３】
また、本発明は、電気的な導体に施されたマイカ絶縁体を含む絶縁部材における電気トリーに関する電気トリー試験の電極構造体であって、その第１の面とその裏側の第２の面が平面状でかつ前記第１の面と前記第２の面とが互いに平行に形成され電気的導体である板状の基板と、前記基板の前記第１の面上に取り付けられて前記第１の面の垂直方向に延びて互いに間隔をあけて設けられ電気的導体である複数の針電極と、を備えることを特徴とする。【００１４】
また、本発明は、再現試験の試験状態を設定するために用いられる電極設定用組立体であって、上記した電極構造体と、その第１の面とその裏側の第２の面が平面状でかつ第１の面と第２の面とが互いに平行に形成され第１の面と第２の面間の厚みが基板と同一に形成された板状の第１の電極スペーサと、その第１の面とその裏側の第２の面が平面状でかつ第１の面と第２の面とが互いに平行に形成され第１の面と第２の面間の厚みが前記基板と同一に形成された板状の第２の電極スペーサと、その第１の面が平面上に形成された板状の押さえ板と、を具備し、前記電極構造体の基板の第２の面と、前記第１の電極スペーサの第２の面と、前記第２の電極スペーサの第２の面とは、前記押さえ板の第１の面に密着し、前記第１の電極スペーサと前記第２の電極スペーサとは前記電極構造体の基板を挟んで平面方向の互いに反対側に入れている、ことを特徴とする。
【発明の効果】
【００１５】
本発明によれば、マイカ絶縁体を含むマイカ絶縁システムにおける電気トリーの挙動を再現し確認することができる。
【図面の簡単な説明】
【００１６】
【図１】実施形態に係る電気トリー試験方法の手順を示すフロー図である。
【図２】回転電機において使用されるマイカ絶縁テープの構成例を示す縦断面図である。
【図３】回転電機におけるコイル導体の構成を示す斜視図である。
【図４】回転電機においてコイル導体へのマイカ絶縁テープの巻き方の例を示す縦断面図である。
【図５】実施形態に係る電極設定用組立体の構成を示す正面図である。
【図６】実施形態に係る電極設定用組立体の構成を示す下面図である。
【図７】実施形態に係る電極構造体の針電極の構成を示す縦断面図である。
【図８】実施形態に係る電気トリー試験方法において電極設定用組立体を取付ける前に絶縁体スペーサを取付けた状態を示す縦断面図である。
【図９】実施形態に係る電気トリー試験方法において電極設定用組立体を取付けた状態を示す縦断面図である。
【図１０】実施形態に係る電気トリー試験方法において電極設定用組立体を解体した後の状態を示す縦断面図である。
【図１１】実施形態に係る電気トリー試験方法において電極設定用組立体を解体した後、電源に接続した状態を示す縦断面図である。
【発明を実施するための形態】
【００１７】
以下、図面を参照して、本発明の実施形態に係る電気トリー試験方法、電極構造体および電極設定用組立体について説明する。ここで、互いに同一または類似の部分には、共通の符号を付して、重複説明は省略する。
【００１８】
図１は、実施形態に係る電気トリー試験方法の手順を示すフロー図である。
【００１９】
まず、回転電機において想定対象とするコイルの導体を模擬した特定の長さのコイル導体１（図８）の周囲にマイカ絶縁システムの装着、すなわちマイカ絶縁体を含む絶縁部材を巻き付けて絶縁処理を行う（ステップＳ０１）。
【００２０】
図２は、回転電機において使用されるマイカ絶縁テープの構成例を示す縦断面図である。マイカ絶縁システム１０を構成するマイカ絶縁テープ１１は、ガラスクロス部１２、マイカ部１４、およびマイカ部１４とガラスクロス部１２間に設けられるエポキシ部１３を有する。マイカ部１４の厚みは、たとえば０．１ｍｍ程度である。また、ガラスクロス部１２の厚みは、これより薄くたとえば０．０３ｍｍ程度である。なお、図２において、マイカ絶縁テープ１１の構成部分としてガラスクロス部１２、エポキシ部１３およびマイカ部１４をわかりやすく図示したが、エポキシ部１３についてはマイカ部１４とガラスクロス部１２に浸み込むため、エポキシ部１３の厚みは実質なくなり、マイカ部１４とガラスクロス部１２は通常は接している。
【００２１】
図３は、回転電機におけるコイル導体の構成を示す斜視図である。図３では、８本のコイル導体１が、一体となっている場合を示している。それぞれのコイル導体１の周囲にはターン絶縁がなされる。また、８本全体の周囲には、主絶縁として、マイカ絶縁テープ１１が巻回され、マイカ絶縁システム１０が構成されている。
【００２２】
マイカ絶縁システム１０においては、マイカ絶縁テープ１１は、コイル導体１の長手方向に見て、らせん状に巻回される。この際、らせんのピッチは、たとえば、マイカ絶縁テープの幅の半分である。すなわち、前回のターンで巻かれたマイカ絶縁テープ１１と半分重なるようにして巻かれる。一通りコイル導体１の長手方向に巻回されると、さらのその上から巻回され、マイカ絶縁テープ１１は、層状をなす。
【００２３】
なお、コイル導体１のそれぞれには、個別の絶縁処理が施され、その上から、マイカ絶縁処理を行う場合もある。この場合は、個別の絶縁処理の施されたコイル導体を、以降、単にコイル導体１と呼ぶ場合がある。
【００２４】
図４は、回転電機においてコイル導体へのマイカ絶縁テープの巻き方の例を示す縦断面図である。図４は、マイカ絶縁テープの巻かれたコイル導体１の表面の断面を示している。それぞれの曲線が、１本のマイカ絶縁テープ１１の断面を示している。前述のように、マイカ絶縁テープ１１は、マイカ絶縁テープ１１の幅の約半分ずつ、コイル導体１の長手方向にずれている。
【００２５】
図４は、マイカ絶縁テープ１１が、４層に巻回された場合を示している。コイル導体１の電圧にもよるが、マイカ絶縁テープ１１は、数層あるいは数十層まで巻回される場合も多い。このようにしてコイル導体１の周囲に形成されたものを、以下、マイカ絶縁集合体１１０と呼び、含浸処理を行った後のものをマイカ絶縁システム１０と呼ぶこととする。
【００２６】
図５は、実施形態に係る電極設定用組立体の構成を示す正面図である。また、図６は下面図である。電極設定用組立体２０は、電極構造体２１、第１の電極スペーサ２５、第２の電極スペーサ２６、および押さえ板２８を有する。電極構造体２１は、基板２３および基板２３に設けられた複数の針電極２２を有する。
【００２７】
基板２３、第１の電極スペーサ２５、第２の電極スペーサ２６、および押さえ板２８は、それぞれ平板状であり、矩形状である。コイル導体１の長手方向に、基板２３を挟んで前後に、第１の電極スペーサ２５と第２の電極スペーサ２６が並んでいる。
【００２８】
基板２３の第１の面２３ａと、その裏側の第２の面２３ｂは、それぞれ平面状に形成され、互いに並行に形成されている。第１の電極スペーサ２５の第１の面２５ａと、その裏側の第２の面２５ｂは、それぞれ平面状に形成され、互いに並行に形成されている。同様に、第２の電極スペーサ２６の第１の面２６ａと、その裏側の第２の面２６ｂは、それぞれ平面状に形成され、互いに並行に形成されている。
【００２９】
第１の電極スペーサ２５の第１の面２５ａと第２の面２５ｂとの間の距離、すなわち、第１の電極スペーサ２５の厚みは、基板２３の厚みと同じ厚みとなるように形成されている。同様に、第２の電極スペーサ２６の厚みも、基板２３の厚みと同じ厚みとなるように形成されている。
【００３０】
押さえ板２８の第１の面２８ａは、平面状に形成されている。
【００３１】
基板２３の第２の面２３ｂは、押さえ板２８の第１の面２８ａに接するように配されている。第１の電極スペーサ２５の第２の面２５ｂ、および第２の電極スペーサ２６の第２の面２６ｂも、押さえ板２８の第１の面２８ａに接するように配されている。
【００３２】
電極設定用組立体２０を構成する基板２３、第１の電極スペーサ２５、第２の電極スペーサ、押さえ板２８が互いに接する面には、離型剤が塗布されている。また、電極設定用組立体２０が、外部と接する面のうち、基板２３の第１の面２３ａを除いた面にも、離型剤が塗布されている。ここで、離型剤は、塗布されていることによって、相互に取り外すことが容易となるものである。
【００３３】
複数の針電極２２のうちの１本は、基板２３の第１の面のほぼ中央に設けられている。また、残りの針電極２２は、中央の針電極２２を中心に等距離に、周方向に互いに等しい間隔を置いて配されている。なお、図６では、針電極２２の本数は５本であるが、これに限定されず、複数であればよい。
【００３４】
図７は、実施形態に係る電極構造体の針電極の構成を示す縦断面図である。針電極２２は、柱状部２２ａおよび錐状部２２ｂを有する。
【００３５】
柱状部２２ａは、円柱形状であり、基板２３の第１の面２３ａ上に、第１の面２３ａに垂直の方向に延びている。柱状部２２ａは、一端を基板２３内に埋没している。針電極２２は、その先端部２２ｃが基板２３の表面からＬだけ突出している。
【００３６】
錐状部２２ｂは、円錐形状であり、一端が柱状部２２ａに接続され、多端は、錐状に柱状部２２ａと同軸に延びている。錐状部分の先端部２２ｃは、たとえば、曲率半径にして０．０２ｍｍ程度である。
【００３７】
なお、柱状部２２ａおよび錐状部２２ｂの軸方向に垂直な方向の断面が円形の場合を示したが、これに限定されない。たとえば、多角形の場合でもよいし、その他の形状でもよい。
【００３８】
ステップＳ０１の後に、図１に示すように、電極設定用組立体２０の取り付け準備として、絶縁体スペーサ１８（図８）のコイル導体１の表面への取り付けをおこなう（ステップＳ０２）。
【００３９】
図８は、実施形態に係る電気トリー試験方法において電極設定用組立体を取付ける前に絶縁体スペーサを取付けた状態を示す縦断面図である。ここで、絶縁体スペーサ１８の厚みＴは、設定間隔Ｄ（図１０）と、基板２３から突出する針電極２２の長さＬを加えたものとする。ここで、設定間隔Ｄは、後述する試験体系（図１０）において、針電極２２の先端部２２ｃとコイル導体１の表面間の距離である。
【００４０】
ステップＳ０２の後に、図１に示すように、電極設定用組立体２０のマイカ絶縁集合体１１０の外表面１１０ａへの取り付けを行う（ステップＳ０３）。
【００４１】
図９は、実施形態に係る電気トリー試験方法において電極設定用組立体を取付けた状態を示す縦断面図である。ステップＳ０３において取り付けた絶縁スペーサ１８の高さとマイカ絶縁集合体１１０の高さが等しく、また、電極設定用組立体２０のマイカ絶縁集合体１１０に対向する表面も平面状であることから、針電極２１の挿入以外に、マイカ絶縁集合体１１０に外力を加える要因はない。
【００４２】
したがって、針電極２２は、マイカ絶縁集合体１１０内に針電極２２の高さ分だけ、挿入される。この結果、複数の針電極２２のそれぞれの先端から、マイカ絶縁集合体１１０のコイル導体１表面側の面までの距離は、いずれも、マイカ絶縁集合体１１０の高さから、針電極２２の高さを減じた長さとなる。
【００４３】
ステップＳ０３の後に、図１に示すように、マイカ絶縁体への合成樹脂の含浸処理を行う（ステップＳ０４）。含浸処理は、たとえば、マイカ絶縁体を真空状態にして合成樹脂を注入する真空含浸（ＶＰＩ）により行う。合成樹脂が硬化後の状態を、マイカ絶縁システム１０と呼ぶこととする。
【００４４】
ステップＳ０４の後に、図１に示すように、電極設定用組立体２０から、電極構造体２１以外の部分を取り外す（ステップＳ０５）。すなわち、第１の電極スペーサ２５、第２の電極スペーサ、押さえ板２８を取り外す。この際、離型剤が塗布されているため、電極構造体２１の位置や姿勢に外乱を与えることなく、容易に取り外すことができる。
【００４５】
図１０は、実施形態に係る電気トリー試験方法において電極設定用組立体を解体した後の状態を示す縦断面図である。なお、絶縁体スペーサ１８も取り外す。針電極２２の基板２３の表面からの突出長さＬが決まっているため、絶縁体スペーサ１８の厚さを調整することで、針電極２２の先端部２２ｃとコイル導体１間の距離、すなわち設定間隔Ｄを任意かつ厳密に制御できる。
【００４６】
この状態において、電極構造体２１の基板２３のコイル導体１の長手方向の長さは、マイカ絶縁システム１０のコイル導体１の長手方向の長さよりも短くする必要がある。また、その長さの差は、基板２３の長手方向のそれぞれの端部からマイカ絶縁システム１０の端部までの沿面距離ｄ１、ｄ２が、針電極の先端からコイル導体１までの直線距離に比べて十分に長い必要がある。すなわち、電気トリーがマイカ絶縁システム１０内を進展し貫通するより前に、沿面を経由してコイル導体１に達する場合を避ける必要がある。
【００４７】
このため、沿面距離ｄ１、ｄ２をマイカ絶縁システム１０の高さＨのたとえば２倍以上などとして沿面距離を確保する必要がある。
【００４８】
ステップＳ０５の後に、図１に示すように、電源への接続を行う（ステップＳ０６）。
【００４９】
図１１は、実施形態に係る電気トリー試験方法において電極設定用組立体を解体した後、電源に接続した状態を示す縦断面図である。図１１では、交流電源３０に接続している例を示している。なお、直流電源に接続してもよい。あるいは、直流電源に接続し、回路中にスイッチを設けて入り切りすることでもよい。
【００５０】
ステップＳ０６の後に、電圧を印加した状態とする（ステップＳ０７）。この状態で、絶縁破壊が発生したか否かを監視する（ステップＳ０８）。このために、回路３１上に、電流計３２および電圧計３３を設ける。絶縁破壊が発生すれば、電流計３２の出力が急上昇し、電圧計３３の出力が急減するので、これらの出力により、監視することができる。
【００５１】
絶縁破壊が発生していない場合（ステップＳ０８  ＮＯ）は、ステップＳ０７に戻り、監視を継続する。発生した場合（ステップＳ０８  ＹＥＳ）は、マイカ絶縁システム１０を取り外し、各電極からの電気トリーの進展状況の調査を行う（ステップＳ０９）。
【００５２】
以上のように、本実施形態によれば、針状の電極を用いることにより、電気トリーの起点を明確に絞ることができる。また、複数の針電極を用いることにより、絶縁破壊しなかった部分の電気トリーの進展状況を確認することができる。
【００５３】
また、複数の針電極について、それぞれの針電極の先端からコイル導体１への距離を等しく設定することを可能としたことにより、距離の要因以外の要因の究明が可能となる。
【００５４】
以上のように、マイカ絶縁体を含むマイカ絶縁システムにおける電気トリーの挙動を再現し確認することができる。
【００５５】
［その他の実施形態］
以上、本発明の実施形態を説明したが、実施形態は、例として提示したものであり、発明の範囲を限定することは意図していない。たとえば、実施形態では、回転電機のコイル導体のマイカ絶縁システムの場合を例にとって説明したが、これに限定されず、一般の導体のマイカ絶縁部分の試験にも適用できる。
【００５６】
さらに、実施形態は、その他の様々な形態で実施されることが可能であり、発明の要旨を逸脱しない範囲で、種々の省略、置き換え、変更を行うことができる。
【００５７】
実施形態やその変形は、発明の範囲や要旨に含まれると同様に、特許請求の範囲に記載された発明とその均等の範囲に含まれるものである。
【符号の説明】
【００５８】
１…コイル導体（導体）、１０…マイカ絶縁システム、１１…マイカ絶縁テープ、１２…ガラスクロス部、１３…エポキシ部、１４…マイカ部、１８…絶縁体スペーサ、２０…電極設定用組立体、２１…電極構造体、２２…針電極、２２ａ…柱状部、２２ｂ…錐状部、２２ｃ…先端部、２３…基板、２３ａ…第１の面、２３ｂ…第２の面、２５…第１の電極スペーサ、２５ａ…第１の面、２５ｂ…第２の面、２６…第２の電極スペーサ、２６ａ…第１の面、２６ｂ…第２の面、２８…押さえ板、２８ａ…第１の面、２８ｂ…第２の面、３０…交流電源、３１…回路、３２…電流計、３３…電圧計、１１０…マイカ絶縁集合体
【図１】
2017109811.tif 000003
【図２】
2017109811.tif 000004
【図３】
2017109811.tif 000005
【図４】
2017109811.tif 000006
【図５】
2017109811.tif 000007
【図６】
2017109811.tif 000008
【図７】
2017109811.tif 000009
【図８】
2017109811.tif 000010
【図９】
2017109811.tif 000011
【図１０】
2017109811.tif 000012
【図１１】
2017109811.tif 000013
【国際調査報告】
2017109811.tif 000014
2017109811.tif 000015
2017109811.tif 000016
2017109811.tif 000017
2017109811.tif 000018
2017109811.tif 000019